(57)【要約】【課題】通常の身丈を有する前身頃，後ろ身頃，衿，両袖を備えると共に、足のつま先までの保温性を高められるかいまき様の室内着を製作する。【解決手段】通常の身丈を有する前身頃１ａ，後ろ身頃１ｂ，両袖３ａ，３ｂ、衿４を備えて縫製されるかいまき様の室内着に、取付け状態では着座時であっても足のつま先まで被え、且つ、取外し状態で膝掛けとしても使用可能な丈を有し、身丈を延長する一枚物のマチ部５を前身頃１ａ，後ろ身頃１ｂの裾全長に亘ってオープンスライドファスナー６で着脱可能に備え付け、更に、左右の前身頃１ａ，１ｂを合せて結ぶ結び紐７ａ，７ｂを左右の前身頃１ａ，１ｂに設けた。【選択図】図１
0003141843.tif 000002
【実用新案登録請求の範囲】
【請求項１】
通常の身丈を有する前身頃，後ろ身頃，両袖，衿を備えて縫製されるかいまき様の室内着において、取付け状態では着座時であっても足のつま先まで被え、且つ、取外し状態では膝掛けとしても使用可能な丈を有し、身丈を延長する一枚物のマチ部を前身頃，後ろ身頃の裾全長に亘ってオープンスライドファスナーで着脱可能に備え付けたことを特徴とするかいまき様室内着。
【請求項２】
左右の前身頃を合せて結ぶ結び紐を左右の前身頃に備えたことを特徴とする請求項１に記載のかいまき様の室内着。
【考案の詳細な説明】
【技術分野】
【０００１】
本考案は、通常の身丈を有する前身頃，後ろ身頃，両袖，衿を備えて縫製されるかいまき様の室内着に関するものである。
【背景技術】
【０００２】
一般に、かいまきは通常の身丈：１５５〜１６０ｃｍ程度よりも長い２００ｃｍ程度の前身頃，後ろ身頃と、両袖，衿とを備えて縫製されている。かいまき自体は夜具の一種であり、綿入れ地等から縫製されることから、保温性が高くて寒い時に掛け布団の下に重ねて用いられている。
【０００３】
かいまき自体は通常の身丈よりも長い丈を有するため、通常の室内着としては適さない。ところが、保温性は高いため、在宅の高齢者や介護施設入居者，入院患者等から通常の身丈を有する前身頃，後ろ身頃，衿，両袖を備えて縫製されるかいまき様の室内着が望まれている。
【０００４】
然し、通常の身丈を有する前身頃，後ろ身頃を備えるかいまき様の室内着では、一方、２００ｃｍの身丈を有するかいまき自体でも、足のつま先までは完全に被うことができない。特に、ソファーや車椅子等における着座姿勢においては足が全く露出してしまうため、足のつま先までの保温性を求めることができない。
【０００５】
足の保温性に着目した衣類としては、上辺縁を開放した袋状の足袋をコート着の前身頃，後ろ身頃の裾全長に亘ってオープンスライドファスナーで着脱可能に備え付けたものが提案されている（特許文献１）
【特許文献１】実用新案登録第３０９１６３８号
【考案の開示】
【考案が解決しようとする課題】
【０００６】
本考案の解決しようとする課題は、通常の身丈を有する前身頃，後ろ身頃，両袖，衿を備えると共に、足のつま先までの保温性を高められるかいまき様の室内着を提供するところにある。
【課題を解決するための手段】
【０００７】
本願の請求項１に係る考案は、通常の身丈を有する前身頃，後ろ身頃，両袖，衿を備えて縫製されるかいまき様の室内着において、取付け状態では着座時であっても足のつま先まで被え、且つ、取外し状態で膝掛けとしても使用可能な丈を有し、身丈を延長する一枚物のマチ部を前身頃，後ろ身頃の裾全長に亘ってオープンスライドファスナーで着脱可能に備え付けたことを特徴とする。
【０００８】
本願の請求項２に係る考案は、左右の前身頃を合せて結ぶ結び紐を左右の前身頃に設けたことを特徴とする。
【考案の効果】
【０００９】
本願の請求項１に係る考案によると、かいまきの如く掛け布団の下に重ねて用いても、殊に、着座姿勢における室内着として着衣するときでも、足のつま先までもマチ部で完全に被えるため、全身の保温性を高められる。また、マチ部を外せば、本体側は保温性の高い通常の室内着として着衣でき、マチ部側は膝掛けとしても使用できるため、保温性と共に、利便性も高められる。
【００１０】
本願の請求項２に係る考案によると、かいまき自体にはない結び紐を備えるため、左右の前身頃を合せて結び紐を結ぶことから、着座姿勢や通常の室内着として着衣しても、体裁を良好なものに保てる。
【考案を実施するための最良の形態】
【００１１】
図示実施の形態は、図１で示すように本体側が通常の身丈：１５５〜１６０ｃｍ程度の室内着として前身頃１ａ，１ｂ、後身頃２、両袖３ａ，３ｂ、衿４を備えて縫製されている。これに加えて、マチ部５が前身頃１ａ，１ｂ、後ろ身頃２の裾全長に亘ってオープンスライドファスナー６で着脱可能に備え付けられている。この各部のうち、前身頃１ａ，１ｂ、後身頃２、両袖３ａ，３ｂ、マチ部５は綿入れ地や毛布地のような保温性の良好な布地を用いて形成されている。
【００１２】
前身頃１ａ，１ｂ、後身頃２は一枚に裁断した布地でなり、前身頃１ａ，１ｂ、後身頃２の肩側稜線を縫い合わせて仕立てられている。両袖３ａ，３ｂは下側辺を縫い合わせた筒状のものでなり、各袖３ａ，３ｂの袖付けを前身頃１ａ，１ｂ、後身頃２の上側横に縫い合わせて仕立てられている。衿４としては、掛け衿が縫い付けられている。この他に、左右の前身頃１ａ，１ｂを合せて結ぶ結び紐７ａ，７ｂが左右の前身頃１ａ，１ｂに縫い付けられている。
【００１３】
マチ部５は、図２で示すように前身頃１ａ，１ｂ、後身頃２に亘る長さの横長方形のものに形成されている。このマチ部５は、取付け状態では着座時であっても足のつま先まで被え、且つ、取外し状態で膝掛けとしても使用可能な丈を有する一枚物として裁断，縫製されている。その丈としては、７５ｃｍ程度が好ましい。
【００１４】
このように構成するかいまき様の室内着では、図３で示すようにソファーＳや車椅子に座る着座姿勢における室内着として着衣するときに、足のつま先までもマチ部５で完全に被えるため、全身の保温性を高められる。また、かいまきの如く掛け布団の下に重ねて用いる場合でも、足のつま先までもマチ部５で完全に被え、余剰な丈部分は二つ重ねに折り畳んで足を上下から包み込むよう用いることもできる。
【００１５】
マチ部５を外すと、図４で示すように保温性の高い通常の室内着として本体側を着用できる。マチ部５は、図５で示すように取外し状態で膝掛けとしても使用できるため、保温性と共に、利便性も高められる。着座姿勢や通常の室内着として着衣するときには、左右の前身頃１ａ，１ｂを合せて結び紐７ａ，７ｂを結べば、前がはだけないことから体裁を良好なものに保てる。
【図面の簡単な説明】
【００１６】
【図１】本考案に係るかいまき様の室内着を示す平面図である。
【図２】図１の室内着から外したマチ部を示す平面図である。
【図３】図１の室内着を着座姿勢で着衣した場合の説明図である。
【図４】図１の室内着を普通の室内着として着衣した場合の説明図である。
【図５】図１の室内着から外したマチ部を膝掛けとして用いた場合の説明図である。
【符号の説明】
【００１７】
１ａ，１ｂ      前身頃
２              後ろ身頃
３ａ，３ｂ      袖
４              衿
５              マチ部
６              オープンスライドファスナー
７ａ，７ｂ      結び紐
【図１】
0003141843.tif 000003
【図２】
0003141843.tif 000004
【図３】
0003141843.tif 000005
【図４】
0003141843.tif 000006
【図５】
0003141843.tif 000007